(57)【要約】【課題】  操作者がマルチ画面全体を視野に入れられる位置にいたままで、メニュー画面を構成する各調整項目の内容を十分に視認できるようにする。【解決手段】  表示装置１は、入力された映像信号のうち任意の倍率でかつ任意の領域を拡大処理するための制御部１７と、拡大処理された映像信号のうち任意の領域を選択するための本体操作部２０，リモコン２６と、選択された任意の領域を表示するべき映像信号として表示処理をするディスプレイ２５とを有し、制御部１７は、各種設定値を書き換える操作をするためのメニュー画面を操作者の操作によって表示処理をする。本体操作部２０，リモコン２６において映像信号の特定領域を選択した場合は、制御部１７は、メニュー画面表示操作があった時にメニュー画面の表示を規制する。【選択図】  図１
2006352511.tif 000002
【特許請求の範囲】
【請求項１】
入力された映像信号のうち任意の倍率でかつ任意の領域を拡大処理するための拡大表示制御手段と、
拡大処理された映像信号のうち任意の領域を選択するための選択手段と、
該選択された任意の領域を表示するべき映像信号として表示処理をする表示手段と、
各種設定値を書き換える操作をするためのメニュー画面を操作者の操作によって表示処理をするメニュー画面表示操作手段とを有した表示装置であって、
前記選択手段において前記映像信号の特定領域を選択した場合は、前記メニュー画面表示操作手段が操作された時にメニュー画面の表示を規制するためのメニュー画面表示規制手段を有したことを特徴とする表示装置。
【請求項２】
前記特定領域とは、前記映像信号のうち４隅のいずれかを含む１領域以外の領域であることを特徴とする請求項１記載の表示装置。
【請求項３】
前記特定領域とは、前記映像信号のうち右上隅を含む領域以外の領域であることを特徴とする請求項２記載の表示装置。
【請求項４】
当該表示装置は、他の表示装置に接続するための入力手段を有し、
前記メニュー画面表示規制手段は、更に該入力手段に他の表示装置が接続されているか否かを判別し、更に他の表示装置が接続されている場合に前記メニュー画面表示操作手段の操作に基づくメニュー画面の表示を規制することを特徴とする請求項１乃至３のいずれかに記載の表示装置。
【発明の詳細な説明】
【技術分野】
【０００１】
本発明は、上下左右に複数台並べた各表示装置に対して、１フレーム分の映像信号を複数個に分割して各画面に拡大表示処理をするいわゆるエンラージ機能を有した表示装置に関する。
【背景技術】
【０００２】
エンラージ機能を有する表示装置には、従来から、例えば、以下に示すようなプロジェクションテレビ受像機がある。このプロジェクションテレビ受像機は、フレネルレンズ複数枚当たりにレンチキュラーシート１枚を組み合わせてスクリーンを構成することにより、映像に影響を与えることなくスクリーンを保持することができ、スクリーン全体又は端まで映像を映し出すことができるものである（例えば、特許文献１参照。）。
【０００３】
【特許文献１】特開平１０−９０７９２号公報（請求項１，［０００９］，［００１０］，［００１３］、図１）
【発明の開示】
【発明が解決しようとする課題】
【０００４】
ところで、最近の表示装置は、そのほとんどがリモートコントローラ（以下、「リモコン」と略す。）で操作可能となっている。従って、上記したエンラージ機能を有する表示装置も、各表示装置ごとにリモコンが用意されていることが多い。マルチ画面を同一機種の複数台の表示装置で構成した場合、１台のリモコンですべての表示装置を操作することが可能となる。
また、表示装置において、映像調整、水平・垂直位置、画面サイズ等の調整項目を調整する場合、ディスプレイにＯＳＤ（On Screen Display）表示形式で、各種調整項目の調整のためのメニュー画面が表示される。このメニュー画面の大きさは、エンラージ機能の有無にかかわらず、いずれの表示装置においても、ほぼ同様な大きさに予め設定されており、操作者がメニュー画面の大きさを自由に変更できるようには構成されていない。
【０００５】
ここで、エンラージ機能を有する同一機種の表示装置を上下左右に複数台ずつ並べるとともに、エンラージ機能を利用して１つのマルチ画面として映像を表示し、かつ、１台のリモコンを用いて、ある１台の表示装置について、映像調整、水平・垂直位置、画面サイズ等の調整項目を調整することを考える。操作者は、リモコンを操作する際、複数台の表示装置にマルチ画面を表示する場合は、１台の表示装置に１つの画面を表示する場合に比べて、マルチ画面全体を視野に入れるためにディスプレイから長い距離をおくことが多い。特に、各表示装置間における表示品質（例えば、輝度やコントラストなど）のばらつきを解消する場合には、操作者は、マルチ画面全体を視野に入れられる位置にいたままで、各調整項目の設定値を細かく調整する必要がある。ところが、メニュー画面の表示サイズが小さい場合には、操作者は、マルチ画面全体を視野に入れられる位置にいたままでは、メニュー画面を構成する各調整項目の内容を十分に視認することができないため、各表示装置間における表示品質のばらつきを解消するための操作がやりにくいという問題がある。
【０００６】
また、同一機種の複数台の表示装置に１つのマルチ画面を表示した場合、操作者が調整項目の調整対象としていない他の表示装置も、リモコンからの赤外線の制御信号に応答して、対応する各ディスプレイに同一のメニュー画面を表示し、調整済みの調整項目まで変更してしまうという問題があった。このため、調整対象としていない他の表示装置のディスプレイに表示された画像が調整項目の調整に使用されないメニュー画面で覆われて見にくくなってしまうとともに、調整済みの調整項目まで変更してしまうという問題があった。そこで、調整を希望しない他の表示装置の電源を操作者がリモコンを使わずに表示装置に設けられている電源スイッチを操作してオフにしておいたり、調整が終了した表示装置のリモコン受信部がリモコンからの赤外線の制御信号を検出しないように、その受光面に障害物を設けることが考えられる。しかし、それでは、リモコンを用いて上記調整項目を調整する操作性の良さが失われてしまうとともに、マルチ画面を構成する表示装置の台数が多ければ多いほど、調整項目の調整に時間がかかるという問題がある。
【０００７】
本発明は、上述した事情に鑑みてなされたものであり、上述のような課題を解決することができる表示装置を提供することを目的としている。
【課題を解決するための手段】
【０００８】
請求項１に記載した本発明に係る表示装置は、上述した目的を達成するために、入力された映像信号のうち任意の倍率でかつ任意の領域を拡大処理するための拡大表示制御手段と、拡大処理された映像信号のうち任意の領域を選択するための選択手段と、該選択された任意の領域を表示するべき映像信号として表示処理をする表示手段と、各種設定値を書き換える操作をするためのメニュー画面を操作者の操作によって表示処理をするメニュー画面表示操作手段とを有した表示装置であって、前記選択手段において前記映像信号の特定領域を選択した場合は、前記メニュー画面表示操作があった時にメニュー画面の表示を規制するためのメニュー画面表示規制手段を有したことを特徴としている。
【０００９】
また、請求項２記載の発明は、請求項１記載の表示装置に係り、前記特定領域とは、前記映像信号のうち４隅のいずれかを含む１領域以外の領域であることを特徴としている。
また、請求項３記載の発明は、請求項２記載の表示装置に係り、記特定領域とは、前記映像信号のうち右上隅を含む領域以外の領域であることを特徴としている。
【００１０】
また、請求項４記載の発明は、請求項１乃至３のいずれかに記載の表示装置に係り、当該表示装置は、他の表示装置に接続するための入力手段を有し、前記メニュー画面表示規制手段は、更に該入力手段に他の表示装置が接続されているか否かを判別し、更に他の表示装置が接続されている場合に前記メニュー画面表示操作によるメニュー画面の表示を規制することを特徴としている。
【発明の効果】
【００１１】
本発明によれば、従来のように、調整対象としていない他の表示装置のディスプレイに表示された画像が調整項目の調整に使用されないメニュー画面で覆われて見にくくなるということがない。また、操作者は、通常の視力を有していれば、マルチ画面全体を視野に入れられる位置からであっても、メニュー画面を構成する各調整項目の内容を十分に視認することができる。
従って、各表示装置間における表示品質（例えば、輝度やコントラストなど）のばらつきを解消する場合であっても、操作者は、マルチ画面全体を視野に入れられる位置にいたままで、各調整項目の設定値を細かく調整することができる。この結果、操作性が向上する。
【発明を実施するための最良の形態】
【００１２】
実施の形態１．
図１は、本発明の実施の形態１に係る表示装置１の構成を示すブロック図である。この例の表示装置１は、アンテナ１１に接続され、チューナ１２と、ビデオ信号入力部１３と、ビデオスイッチ１４と、フレームメモリ１５と、映像処理回路１６と、制御部１７と、リモコン受信部１８と、記憶部１９と、本体操作部２０と、インターフェイス２１と、制御入力端子２２と、制御出力端子２３と、キャラクタジェネレータ２４と、ディスプレイ２５とを有している。
チューナ１２は、アンテナ１１で受信された各種の放送信号の中から、操作者が本体操作部２０又はリモコン２６を操作することにより選局した放送信号について復調や誤り訂正等を行って、ビデオ信号ＶＴを出力する。ここで、各種の放送信号としては、例えば、地上波アナログ放送、地上波デジタル放送、ＢＳアナログ放送、ＢＳデジタル放送、ＣＳアナログ放送、ＣＳデジタル放送のそれぞれの放送信号がある。
【００１３】
ビデオ信号入力部１３には、外部から供給される各種のビデオ信号ＶＸの種類に応じた各種のビデオ入力端子を有しており、入力されたビデオ信号ＶＸをビデオスイッチ１４に供給する。ここで、各種のビデオ信号ＶＸとしては、例えば、コンポジット・ビデオ信号、コンポーネント・ビデオ信号、Ｓビデオ信号、あるいは、アナログＲＧＢ・ビデオ信号等がある。コンポジット・ビデオ信号とは、映像信号の中の輝度信号（Ｙ）と色信号（Ｃ）とが合成されて伝送されるビデオ信号をいう。コンポーネント・ビデオ信号とは、映像信号が輝度信号（Ｙ）と青色差信号（Ｃｂ又はＰｂ）と赤色差信号（Ｃｒ又はＰｒ）とに分離されて伝送されるビデオ信号をいう。Ｓビデオ信号とは、映像信号が輝度信号（Ｙ）と色信号（Ｃ）とに分離されて伝送されるビデオ信号をいう。アナログＲＧＢ・ビデオ信号とは、映像信号がアナログ赤信号と、アナログ緑信号と、アナログ青信号とに分離されて伝送されるビデオ信号をいう。
【００１４】
ビデオスイッチ１４は、チューナ１２から供給されるビデオ信号ＶＴ又はビデオ信号入力部１３から供給されるビデオ信号ＶＸのいずれか一方を、制御部１７から供給される制御信号ＳＣ１に基づいて選択してビデオ信号ＶＳとして出力する。フレームメモリ１５は、例えば、ＲＡＭ等の半導体メモリからなり、ビデオ信号ＶＳを１フレーム分記憶してビデオ信号ＶＤとして出力する。
映像処理回路１６は、制御部１７から供給される制御信号ＳＣ２に基づいて、ビデオ信号ＶＤに対して、ＩＰ（Interlace to Progressive）変換、スケーリング、デジタルＲＧＢ変換、エンラージ処理等の映像処理を施してビデオ信号ＶＰとして出力する。ＩＰ変換は、飛び越し走査（インターレース）方式のビデオ信号を順次走査（プログレッシブ）方式のビデオ信号に変換する処理である。スケーリングは、ビデオ信号により表現される映像の解像度がディスプレイ２５に表示される映像の解像度と異なる場合に当該ビデオ信号に対して映像の表示位置や大きさ等を調整する処理である。デジタルＲＧＢ変換は、ビデオ信号をデジタル赤信号、デジタル緑信号、デジタル青信号からなるデジタルＲＧＢ・ビデオ信号に変換する処理である。エンラージ処理は、例えば、図２（ａ）に示すビデオ信号により構成される画面（以下、「ソース画面」と称する。）を制御部１７により設定された分割数で分割（図２（ａ）では４分割）して、制御部１７により設定された表示領域を、図２（ｂ）に示すように、上下左右に並べられた複数台（図２（ｂ）では４台）のディスプレイ２５に表示する処理である。
【００１５】
制御部１７は、中央処理装置（ＣＰＵ）、デジタルシグナルプロセッサ（ＤＳＰ）、シーケンサ等からなり、記憶部１９に記憶されている調整プログラム等に基づいて、調整処理等を実行することにより、装置各部に制御信号ＳＣ１及びＳＣ２等を供給するなどして制御する。即ち、例えば、記憶部１９から調整プログラムが読み出されると、制御部１７に読み込まれ、制御部１７の動作を制御する。制御部１７は、調整プログラムが起動されると、調整プログラムの制御により、後述する調整処理を実行するのである。調整処理は、リモコン受信部１８からの制御信号ＲＣ（後述）、本体操作部２０からの制御信号ＭＣ（後述）又はインターフェイス２１からの制御入力信号ＳＩに基づいて、当該リモコン受信部１８からの制御信号ＲＣを無効としたり、本体操作部２０からの制御信号ＭＣを無効としたり、当該表示装置１の映像調整や水平垂直位置の調整等の各種の調整を行ったり、制御出力信号ＳＯをインターフェイス２１に供給したりする処理である。
【００１６】
リモコン受信部１８は、リモコン２６からの赤外線パルスの制御信号ＬＲを受信して電気信号の制御信号ＲＣに変換して制御部１７に供給する。リモコン２６には、一般的なテレビジョン受信機に用いられるリモコンと同様、電源ボタン、入力切換ボタン、チャネル／数字入力ボタン、音量増加ボタン、音量減少ボタンなど各種のボタンが設けられている。しかし、本発明に直接関係するボタンは、メニューボタン、エンラージボタン、上カーソルボタン、下カーソルボタン、左カーソルボタン、右カーソルボタン及び決定ボタンである。以下、上カーソルボタン、下カーソルボタン、左カーソルボタン及び右カーソルボタンを適宜総称して、「カーソルボタン」と呼ぶことにする。
【００１７】
メニューボタンは、押下されるたびに、ディスプレイ２５にＯＳＤ表示形式での各種調整項目の調整のためなどに用いられるメニュー画面の表示と、非表示とが交互に指示されるボタンである。エンラージボタンは、ディスプレイ２５に通常の映像が表示されている状態で押下されることにより、上記調整処理の実行開始が指示されるボタンである。上カーソルボタン、下カーソルボタン、左カーソルボタン又は右カーソルボタンは、ディスプレイ２５にメニュー画面が表示されている状態で押下されることにより、それぞれ上方向、下方向、左方向又は右方向に１つずつカーソル及びフォーカスを移動させて項目の選択が指示されるボタンである。
【００１８】
ここで、フォーカスについて説明する。表示画面に複数のボタンやテキストボックス等が表示されている場合、これらのうち、リモコン２６又は本体操作部２０からの入力を受け付けることができるのは１つだけであるが、その入力を受け付ける状態になっていることをフォーカスを持つという。あるボタンがフォーカスを持っているか否かは、テキストボックスの場合には内部でカーソルが点滅する、ドロップダウンリストボックスの場合にはメニューが選択反転する、コマンドボタンの場合には破線で囲まれる、などにより判断することができる。
決定ボタンは、ディスプレイ２５にメニュー画面が表示されている状態で押下されることにより、階層状になっている選択項目の次の段階へ進むことや、選択した項目の確定が指示されるボタンである。
【００１９】
記憶部１９は、ＲＡＭやＲＯＭ、あるいはフラッシュメモリ等の半導体メモリからなる。記憶部１９は、プログラム記憶部と、ワーキング記憶部と、データ記憶部とから構成されている。プログラム記憶部は、上記した制御部１７が実行すべき調整プログラムその他の各種プログラムが予め記憶されている。ワーキング記憶部は、制御部１７が上記した調整プログラムその他の各種プログラムを実行する際に作業用として用いられる。データ記憶部は、映像処理回路１６その他構成要素に設定すべき初期値や最終値が予め記憶されていたり、各種のデータが記憶される。なお、記憶部１９を構成するプログラム記憶部に予め記憶されている各種プログラムや、ワーキング記憶部又はデータ記憶部に記憶される一部のデータについては、制御部１７の内部に設けられたメモリに記憶されると構成しても良い。
【００２０】
本体操作部２０は、例えば、表示装置１本体の右下部に設けられ、電源ボタン、入力切換ボタン、チャンネル増加ボタン、チャンネル減少ボタン、音量増加ボタン、音量減少ボタン、メニューボタン、上カーソルボタン、下カーソルボタン、左カーソルボタン、右カーソルボタン、決定ボタンなど各種のボタンから構成されている。各ボタンの用途及び機能は、上記リモコン２６を構成する同一名称のボタンの用途及び機能と同一である。本体操作部２０は、操作者により操作されたボタンに対応した制御信号ＭＣを制御部１７に供給する。
インターフェイス２１は、この表示装置と前段の表示装置とを制御入力端子２２及びケーブルを介して接続するとともに、この表示装置と後段の表示装置とを制御出力端子２３及びケーブルを介して数珠つなぎに接続（これを「デイジー・チェーン（daisy chain）接続」と称する。）するためものであり、この表示装置と他の表示装置との間でやりとりされるデータや制御信号に対して波形整形や増幅などの処理を施す。インターフェイス２１の規格としては、例えば、ＲＳ−２３２Ｃ（正式名称は、「ＴＩＡ／ＥＩＡ−２３２−Ｅ」という。）やＩＥＥＥ１３９４などがある。
【００２１】
キャラクタジェネレータ２４は、映像処理回路１６から供給されるビデオ信号ＶＰに、制御部１７から供給されるＯＳＤ表示形式のメニュー画面信号ＭＰを重畳して、映像信号ＶＯとしてディスプレイ２５に供給する。ディスプレイ２５は、ＣＲＴディスプレイ、液晶ディスプレイ、エレクトロルミネセンス（ＥＬ：electroluminescence）ディスプレイ、プラズマディスプレイ、あるいはプロジェクタからなる。なお、表示装置１には、上記した映像信号に関連した各構成要素の他、音声信号に関連した様々な構成要素が設けられているが、それらの各構成要素は、本発明には直接関係しないので、その説明を省略する。
【００２２】
次に、図３に４台の表示装置１１〜１４を接続してなる映像表示システムの概略構成を示す。図３において、各構成要素に付している各符号に１〜４の添え字を付しているのは、４台の表示装置１１〜１４を構成する各構成要素の構成及び機能は図１に示す表示装置１を構成する各構成要素の構成及び機能と同一であるが、これら４台の表示装置１１〜１４を、図２（ｂ）に示すように、上下左右に２台ずつ並べるとともに、エンラージ機能を利用して「２×２」の１つのマルチ画面（以下、「２×２」マルチと称する。）として映像を表示するためである。
【００２３】
表示装置１１は、自機の制御入力端子２２１、ケーブル２及び表示装置１２の制御出力端子２３２を介して表示装置１２と接続されている。表示装置１２は、自機の制御入力端子２２２、ケーブル３及び表示装置１３の制御出力端子２３３を介して表示装置１３と接続されている。表示装置１３は、自機の制御入力端子２２３、ケーブル４及び表示装置１４の制御出力端子２３４を介して表示装置１４と接続されている。なお、図３は、各表示装置１１〜１４のケーブル２〜４による接続状態の概念を示すものであって、各制御入力端子２２１〜２２４及び各制御出力端子２３１〜２３４の物理的な位置を示すものではない。
【００２４】
次に、図３に示す映像表示システムを構成する各表示装置１１〜１４の調整処理について、図４〜図７に示すフローチャートを参照して説明する。まず、前提として、図３において、図２（ｂ）に示す画面４の表示領域が割り当てられた表示装置１４のリモコン受信部１８から制御部１７に供給される制御信号ＲＣのみを有効とし、図２（ｂ）に示す画面１の表示領域が割り当てられた表示装置１１の本体操作部２０から制御部１７に供給される制御信号ＭＣのみを有効とするとともに、表示装置１１のディスプレイ２５１のみにＯＳＤ表示形式でのメニュー画面を表示するものとする。
また、図２（ｄ）に示すように、上下左右３台ずつ計９台の表示装置１１〜１９で１つのマルチ画面を構成する[３×３]状態の場合（以下、[３×３]マルチと称する。）、画面９の表示領域が割り当てられた表示装置１９のリモコン受信部１８から制御部１７に供給される制御信号ＲＣのみを有効とし、画面１の表示領域が割り当てられてた表示装置１１の本体操作部２０から制御部１７に供給される制御信号ＭＣのみを有効とするとともに、表示装置１１のディスプレイ２５１のみにＯＳＤ表示形式でのメニュー画面を表示するものとする。
即ち、上下左右ｍ台ずつ計（ｎ＝ｍ×ｍ）（ｍ及びｎは自然数）台の表示装置１１〜１ｎで１つのマルチ画面を構成する[ｍ×ｍ]状態の場合（以下、[ｍ×ｍ]マルチと称する。）、画面ｎの表示領域が割り当てられた表示装置１ｎのリモコン受信部１８から制御部１７に供給される制御信号ＲＣのみを有効とし、画面１の表示領域が割り当てられた表示装置１１の本体操作部２０から制御部１７に供給される制御信号ＭＣのみを有効とするとともに、表示装置１１のディスレイ２５１のみにＯＳＤ表示形式でのメニュー画面を表示するのである。
【００２５】
次に、４台の表示装置１１〜１４のすべてに電源を投入し、各ディスプレイ２５に何らかの映像又はいわゆる砂嵐やブルースクリーン等の無信号であることを示す映像を表示させる。これにより、表示装置１１〜１４の各制御部１７は、図４に示すステップＳ１の処理へ進み、エンラージボタンが押下されたか否かを判断する。この判断は、各制御部１７において、操作者がリモコン２６のエンラージボタンを押下することにより、リモコン２６から上記エンラージボタンが押下されたことを示す赤外線パルスの制御信号ＬＲがリモコン受信部２６で受信された後、電気信号の制御信号ＲＣに変換されて供給されたか否かを検出することにより行われる。
ステップＳ１の判断が「ＮＯ」の場合には、各制御部１７は、同判断を繰り返す。そして、上記エンラージボタンが押下されたことを示す制御信号ＲＣが各制御部１７に供給されると、ステップＳ１の判断が「ＹＥＳ」となり、各制御部１７は、ステップＳ２へ進む。ステップＳ２では、各制御部１７は、４台の表示装置１１〜１４のすべてが３本のケーブル２〜４によりデイジー・チェーン接続されているか否か判断する。この判断は、各制御部１７において、自機の制御入力端子２２及び制御出力端子２３にケーブルが接続されているか否かを検出し、その検出結果である接続情報を制御出力端子２３から後段の表示装置１に順次送信することにより行われる。
【００２６】
ケーブル接続の具体的な検出手法としては、例えば、以下に示す（１）及び（２）の手法がある。（１）各制御部１７は、接続状態を検出するための検出信号を自機の制御出力端子２３を介して他機へ送信し、当該他機から上記検出信号を受信した旨を示す受取信号が送信された場合には、当該他機との間にケーブルが接続されていると判断する。また、（２）各制御部１７は、この接続検出処理の場合にだけ、制御出力端子２３を構成するグランド（ＧＮＤ）ピンの１本を入力ピンに設定し、自機の制御出力端子２３が他機の制御入力端子２２にケーブルを介して接続されることにより、自機の制御出力端子２３の上記入力ピンに設定されたグランドピンの入力レベルが"Ｌ"レベルになった場合には、当該他機との間にケーブルが接続されていると判断する。
【００２７】
ステップＳ２の判断結果が「ＮＯ」の場合には、各制御部１７は、ステップＳ３へ進む。ステップＳ３では、各制御部１７は、ディスプレイ２５に、例えば、「ケーブルが接続されていません。ケーブルを接続してください。」等のエラーメッセージを表示した後、ステップＳ２へ戻る。一方、ステップＳ２の判断結果が「ＹＥＳ」の場合、即ち、４台の表示装置１１〜１４のすべてが３本のケーブル２〜４によりデイジー・チェーン接続されている場合には、各制御部１７は、ステップＳ４へ進む。
ステップＳ４では、制御部１７は、対応するディスプレイ２５の一部にＯＳＤ表示形式で画面構成選択画面を表示した後、ステップＳ５へ進む。ここで、図８に画面構成選択画面の表示の一例を示す。図８に示す画面構成選択画面は、ブルーバックＢＢと、当該映像表示システムの現時点におけるマルチ画面の画面構成の状態（今の場合、［２×２］マルチ）と、当該マルチ画面において当該表示装置１に割り当てられている表示領域のハイライト表示ＨＬＰ（今の場合、左上部の表示領域）とから構成されている。なお、初期設定では、いずれの表示装置１においても、表示領域は、図８に示すように、左上部の映像情報を表示する画面１が割り当てられているものとする。
【００２８】
ステップＳ５では、各制御部１７は、カーソルボタンが押下されたか否かを判断する。この判断の手法は、上記ステップＳ１の場合と同様である。ステップＳ５の判断が「ＮＯ」の場合には、各制御部１７は、同判断を繰り返す。そして、上記カーソルボタン、即ち、上カーソルボタン、下カーソルボタン、左カーソルボタンあるいは右カーソルボタンのいずれかが押下されると、ステップＳ５の判断が「ＹＥＳ」となり、各制御部１７は、ステップＳ６へ進む。ステップＳ６では、各制御部１７は、ステップＳ５の処理でその押下が判断されたカーソルボタンに応じて、対応するディスプレイ２５の一部に、表示領域を更新した画面構成選択画面を表示した後、ステップＳ７へ進む。例えば、操作者がリモコン２６の下カーソルボタンを押下したとすると、各制御部１７は、図９に示すように、ハイライト表示ＨＬＰを左下部の表示領域に移動させた画面構成選択画面の表示を対応するディスプレイ２５の一部に表示させる。
【００２９】
ステップＳ７では、各制御部１７は、決定ボタンが押下されたか否かを判断する。この判断の手法は、上記ステップＳ１の場合と同様である。ステップＳ７の判断が「ＮＯ」の場合には、各制御部１７は、ステップＳ５へ戻り、上記ステップＳ５及びＳ６の処理を繰り返す。そして、上記決定ボタンが押下されると、ステップＳ７の判断が「ＹＥＳ」となり、各制御部１７は、ステップＳ８へ進む。ステップＳ８では、各制御部１７は、ステップＳ７の処理で決定ボタンが押下された際に選択されている表示領域を当該表示装置１の表示領域として割り当てた後、ステップＳ９へ進む。今の場合、図３に示すように、表示装置１１が画面１の表示領域に割り当てられ、表示装置１２が画面２の表示領域に割り当てられ、表示装置１３が画面３の表示領域に割り当てられ、表示装置１４が画面４の表示領域に割り当てられるものとする。
ステップＳ９では、各制御部１７は、対応するディスプレイ２５にエンラージ表示をした後、図５に示すステップＳ１０へ進む。ここで、エンラージ表示とは、例えば、図３に示す表示装置１１が画面１の表示領域に割り当てられている場合、フレームメモリ１５に記憶されている１フレーム分のソース画面を４分割し、左上部の表示領域の映像を拡大処理してディスプレイ２５に表示する処理である。今の場合、４台の表示装置１１〜１４の各ディスプレイ２５には、上記した電源投入時において表示された映像の割り当てられた表示領域の映像が拡大表示される。
【００３０】
ステップＳ１０では、各制御部１７は、自機が画面４の表示領域に割り当てられているか否か判断する。各制御部１７は、ステップＳ１０の判断結果が「ＹＥＳ」の場合には、ステップＳ１１へ進み、ステップＳ１０の判断結果が「ＮＯ」の場合には、ステップＳ１２へ進む。今の場合、上記したように、画面４の表示領域は、表示装置１４に割り当てられているので、表示装置１４の制御部１７では、ステップＳ１０の判断結果が「ＹＥＳ」となり、ステップＳ１１へ進み、表示装置１１〜１３の各制御部１７では、ステップＳ１０の判断結果が「ＮＯ」となり、ステップＳ１２へ進む。
ステップＳ１１では、制御部１７は、リモコン受信部１８から供給される制御信号ＲＣを有効とした後、ステップＳ１３へ進む。今の場合、表示装置１４の制御部１７は、対応するリモコン受信部１８から供給される制御信号ＲＣを有効とした後、ステップＳ１３へ進む。一方、ステップＳ１２では、制御部１７は、リモコン受信部１８から供給される制御信号ＲＣを無効とした後、ステップＳ１３へ進む。今の場合、表示装置１１〜１３の各制御部１７は、対応するリモコン受信部１８から供給される制御信号ＲＣを無効とした後、ステップＳ１３へ進む。
【００３１】
ステップＳ１３では、各制御部１７は、自機が画面１の表示領域に割り当てられているか否か判断する。各制御部１７は、ステップＳ１３の判断結果が「ＹＥＳ」の場合には、ステップＳ１４へ進み、ステップＳ１３の判断結果が「ＮＯ」の場合には、ステップＳ１５へ進む。今の場合、上記したように、画面１の表示領域は、表示装置１１に割り当てられているので、表示装置１１の制御部１７では、ステップＳ１３の判断結果が「ＹＥＳ」となり、ステップＳ１４へ進み、表示装置１２〜１４の各制御部１７では、ステップＳ１３の判断結果が「ＮＯ」となり、ステップＳ１５へ進む。
ステップＳ１４では、当該制御部１７は、本体操作部２０から供給される制御信号ＭＣを有効とした後、ステップＳ１６へ進む。今の場合、表示装置１１の制御部１７は、対応する本体操作部２０から供給される制御信号ＭＣを有効とした後、ステップＳ１６へ進む。一方、ステップＳ１５では、当該制御部１７は、本体操作部２０から供給される制御信号ＭＣを無効とした後、ステップＳ１６へ進む。今の場合、表示装置１２〜１４の各制御部１７は、対応する本体操作部２０から供給される制御信号ＭＣを無効とした後、ステップＳ１６へ進む。
【００３２】
ステップＳ１６では、各制御部１７は、自機が画面４の表示領域に割り当てられているか否か判断する。各制御部１７は、ステップＳ１６の判断結果が「ＹＥＳ」の場合には、ステップＳ１７へ進み、ステップＳ１６の判断結果が「ＮＯ」の場合には、図７に示すステップＳ２７へ進む。今の場合、上記したように、画面４の表示領域は、表示装置１４に割り当てられているので、表示装置１４の制御部１７では、ステップＳ１６の判断結果が「ＹＥＳ」となり、ステップＳ１７へ進み、表示装置１１〜１３の各制御部１７では、ステップＳ１６の判断結果が「ＮＯ」となり、図７に示すステップＳ２７へ進む。
ステップＳ１７では、表示装置１４の制御部１７は、メニューボタンが押下されたか否かを判断する。この判断の手法は、上記ステップＳ１の場合と同様である。ステップＳ１７の判断が「ＮＯ」の場合には、表示装置１４の制御部１７は、同判断を繰り返す。そして、上記メニューボタンが押下されると、ステップＳ１７の判断が「ＹＥＳ」となり、表示装置１４の制御部１７は、ステップＳ１８へ進む。
【００３３】
ステップＳ１８では、表示装置１４の制御部１７は、いずれかのボタンが押下されたか否かを判断する。この判断の手法は、上記ステップＳ１の場合と同様である。ステップＳ１８の判断が「ＮＯ」の場合には、表示装置１４の制御部１７は、同判断を繰り返す。そして、上記チャネル／数字・文字入力ボタン、決定ボタン、上カーソルボタン、下カーソルボタン、左カーソルボタンあるいは右カーソルボタンのいずれかが押下されると、ステップＳ１９の判断が「ＹＥＳ」となり、表示装置１４の制御部１７は、ステップＳ１９へ進む。
ステップＳ１９では、表示装置１４の制御部１７は、ステップＳ１８の処理でその押下が判断されたボタンに応じて、調整項目を調整するためのコマンドを生成した後、図６に示すステップＳ２０へ進む。
【００３４】
図１０にメニュー画面の一例を示す。このメニュー画面は、後述する処理により、図１１に示すように、表示装置１１のディスプレイ２５１のみに表示される。図１１の例では、メニュー画面の縦横の長さは、ディスプレイ２５１の左角から縦横ともに表示領域全体の長さの約３分の２の長さを有している。従って、操作者は、通常の視力を有していれば、マルチ画面全体を視野に入れられる位置（各ディスプレイ２５１〜２５４に正対して約３ｍ程度）にいたままで、後述するメニュー画面を構成する各調整項目の内容を十分に視認することができる。なお、表示装置１が１台単独で使用される場合には、メニュー画面の縦横の長さは、上記した長さと同様でも良いし、従来と同様の長さ、例えば、ディスプレイ２５の表示領域全体の長さの約３分の１の長さ程度でも良い。
【００３５】
図１０の例では、映像調整、音声調整及び位置調整の３つの調整項目が調整可能であることを示している。また、「メニュー」という文字の右隣の「映像調整」という表示は、上記映像調整、音声調整及び位置調整のうちの映像調整という調整項目が選択されていることを示している。
また、図１０において、映像調整は、映像、黒レベル、色の濃さ、色あい、画質の５つの小項目が調整可能であることを示している。そして、映像の調整範囲は、「０」〜「＋４０」であり、「映像」という文字の右隣の［＋３０]という表示は、現在の設定値が「＋３０」であることを示している。また、「映像」という文字と同一行にある横長のバーの全体の長さは、調整範囲を視覚的にわかりやすく示しており、このバーの濃い表示の部分は、調整範囲全体に対する設定値の割合を示している。他の小項目、即ち、黒レベル、色の濃さ、色あい、画質においても、調整範囲、現在の設定値及びバーの意味は同様である。
【００３６】
従って、操作者は、例えば、調整小項目「色の濃さ」を調整する場合、表示装置１１のディスプレイ２５に図１０に示すメニュー画面が表示されるので、設定値が初期値（工場出荷時の値）「０」であるとすると、「色の濃さ」を初期値より濃くするためにリモコン２６の右カーソルボタンを押下し続ければ、「色の濃さ」を示す設定値が増えていくとともに、上記したバーの濃い表示も右端に向かって伸びていく。
一方、操作者が「色の濃さ」を初期値より薄くするためにリモコン２６の左カーソルボタンを押下し続けると、「色の濃さ」を示す設定値が減っていくとともに、上記したバーの濃い表示が左端に向かって縮んでいく。このため、操作者は、上記したバーの濃い表示の部分が所望の位置となるように、リモコン２６の右カーソルボタン及び左カーソルボタンを操作した後（例えば、値「＋５」）、リモコン２６の決定ボタンを押下する。これにより、ステップＳ１９において、表示装置１４の制御部１７は、調整項目「色の濃さ」の値を操作者によって設定された設定値に調整するためのコマンドを生成する。
【００３７】
なお、操作者は、リモコン２６のカーソルボタンを順次操作することにより、「映像」という文字の右隣の［＋３０]という表示欄にフォーカスを移動させた後、チャネル／数字入力ボタンを押下して設定値を直接入力することもできる。
また、このメニュー画面では、各調整項目ごとに、すべての表示装置１において同時に当該調整項目を調整する「同時調整」と、操作者によって選択された表示装置１においてのみ当該調整項目を調整する「個別調整」とのいずれかを選択することができる。「個別調整」の場合の表示装置１を選択する手法は、図８及び図９を参照して説明した表示領域を割り当てる手法と同様である。
【００３８】
図６に示すステップＳ２０では、表示装置１４の制御部１７は、表示装置１４の制御部１７が図５に示すステップＳ１９の処理で生成したコマンドで「同時調整」が選択されているか否かを判断する。この判断は、当該コマンドに付与されている識別番号が「同時調整」であることを示す「０」に設定されているか否かを判断して行う。
ここで、識別番号の設定例について説明する。マルチ画面の画面構成が図２（ｂ）に示す［２×２］マルチである場合、メニュー画面の「識別番号設定」が表示されている状態において、例えば、画面１に設定された表示装置１１に識別番号「１」を、画面２に設定された表示装置１２に識別番号「２」を、画面３に設定された表示装置１３に識別番号「３」を、画面４に設定された表示装置１４に識別番号「４」をそれぞれ予め設定しておく。
【００３９】
ステップＳ２０の判断結果が「ＮＯ」の場合には、表示装置１４の制御部１７は、ステップＳ２１へ進む。ステップＳ２１では、表示装置１４の制御部１７は、表示装置１４の制御部１７がステップＳ１９の処理で生成したコマンドで自機について「個別調整」が選択されているか否かを判断する。この判断は、当該コマンドに付与されている識別番号が自機に予め設定されている識別番号と一致するか否かを判断して行う。ステップＳ２１の判断結果が「ＹＥＳ」の場合には、表示装置１４の制御部１７は、ステップＳ２２へ進む。
ステップ２２では、表示装置１４の制御部１７は、表示装置１４の制御部１７がステップＳ１９の処理で生成したコマンドに対応した調整項目の調整を行った後、図５に示すステップＳ１８へ戻る。上記した調整項目「色の濃さ」を例にとると、表示装置１４の制御部１７は、「色の濃さ」の設定値を値「＋５」に変更した後、図５に示すステップＳ１８へ戻る。
【００４０】
一方、図６に示すステップＳ２１の判断結果が「ＮＯ」の場合、即ち、表示装置１４の制御部１７がステップＳ１９の処理で生成したコマンドで自機について「個別調整」が選択されていない場合には、表示装置１４の制御部１７は、当該コマンドを無効とした後、ステップＳ２４へ進む。
また、ステップＳ２０の判断結果が「ＹＥＳ」の場合、即ち、表示装置１４の制御部１７がステップＳ１９の処理で生成したコマンドで「同時調整」が選択されている場合には、表示装置１４の制御部１７は、ステップＳ２３へ進む。
ステップＳ２３では、表示装置１４の制御部１７は、上記したステップＳ２２の処理と同様、表示装置１４の制御部１７がステップＳ１９の処理で生成したコマンドに対応した調整項目の調整を行った後、ステップＳ２４へ進む。
【００４１】
ステップＳ２４では、表示装置１４の制御部１７は、自機の後段に表示装置１３がケーブル４を介して接続されているか否か判断する。ケーブル接続の具体的な検出手法は、上記したステップＳ２の処理のところで説明した（１）又は（２）の手法と同様である。ステップＳ２４の判断結果が「ＮＯ」の場合には、表示装置１４の制御部１７は、同判断を繰り返す。そして、自機の後段に表示装置１３がケーブル４を介して接続されている場合には、ステップＳ２４の判断結果が「ＹＥＳ」となり、表示装置１４の制御部１７は、ステップＳ２５へ進む。ステップＳ２５では、表示装置１４の制御部１７は、ケーブル４を介して、表示装置１１の制御部１７に対して、表示装置１１のディスプレイ２５にＯＳＤ表示形式で所定のメニュー画面を表示するように指示するコマンドを送信するとともに、後段の他の表示装置１１〜１３に対し、表示装置１４の制御部１７がステップＳ１９の処理で生成したコマンドを送信した後、図５に示すステップＳ１８へ戻る。
【００４２】
一方、図７に示すステップＳ２６では、表示装置１１〜１３の各制御部１７は、ケーブルを介して前段の他の表示装置１からコマンドが供給されたか否かを判断する。ステップＳ２７の判断結果が「ＮＯ」の場合には、表示装置１１〜１３の各制御部１７は、同判断を繰り返す。そして、ケーブルを介して自機の前段の他の表示装置１からコマンドが供給された場合には、ステップＳ２６の判断結果が「ＹＥＳ」となり、表示装置１１〜１３の各制御部１７は、ステップＳ２７へ進む。ステップＳ２７では、表示装置１１〜１３の各制御部１７は、自機が画面１の表示領域に割り当てられているか否か判断する。表示装置１１〜１３の各制御部１７は、ステップＳ２７の判断結果が「ＮＯ」の場合には、ステップＳ２８へ進み、ステップＳ２７の判断結果が「ＹＥＳ」の場合には、ステップＳ３２へ進む。今の場合、上記したように、画面１の表示領域は、表示装置１１に割り当てられているので、表示装置１２及び１３の各制御部１７では、ステップＳ２７の判断結果が「ＮＯ」となり、ステップＳ２８へ進み、表示装置１１の制御部１７では、ステップＳ２７の判断結果が「ＹＥＳ」となり、ステップＳ３２へ進む。
【００４３】
ステップＳ２８では、表示装置１２又は１３の各制御部１７は、表示装置１４の制御部１７がステップＳ１９の処理で生成したコマンドで「同時調整」が選択されているか又は自機について「個別調整」が選択されているか否かを判断する。ステップＳ２８の判断結果が「ＮＯ」の場合、即ち、表示装置１４の制御部１７がステップＳ１９の処理で生成したコマンドで「同時調整」が選択されておらず、かつ、自機について「個別調整」が選択されていない場合には、表示装置１２又は１３の各制御部１７は、何もせず、ステップＳ３０へ進む。
【００４４】
一方、ステップＳ２８の判断結果が「ＹＥＳ」の場合、即ち、表示装置１４の制御部１７がステップＳ１９の処理で生成したコマンドで「同時調整」が選択されているか又は自機について「個別調整」が選択されている場合には、表示装置１２又は１３の各制御部１７は、ステップＳ２９へ進む。ステップＳ２９では、表示装置１２又は１３の各制御部１７は、上記したステップＳ２２及びＳ２３の処理と同様、表示装置１４の制御部１７がステップＳ１９の処理で生成したコマンドに対応した調整項目の調整を行った後、ステップＳ３０へ進む。
ステップＳ３０では、表示装置１２又は１３の各制御部１７は、自機の後段に他の表示装置１がケーブルを介して接続されているか否か判断する。ケーブル接続の具体的な検出手法は、上記したステップＳ２の処理のところで説明した（１）又は（２）の手法と同様である。ステップＳ３０の判断結果が「ＮＯ」の場合には、表示装置１２又は１３の各制御部１７は、同判断を繰り返す。そして、自機の後段に他の表示装置１がケーブルを介して接続されている場合には、ステップＳ３０の判断結果が「ＹＥＳ」となり、表示装置１２又は１３の各制御部１７は、ステップＳ３１へ進む。ステップＳ３１では、表示装置１２又は１３の各制御部１７は、ケーブルを介して後段の他の表示装置１に上記コマンドを送信した後、ステップＳ２６へ戻る。
【００４５】
一方、ステップＳ３２では、表示装置１１の制御部１７は、表示装置１４の制御部１７がステップＳ２５の処理で送信した、表示装置１１のディスプレイ２５にＯＳＤ表示形式で所定のメニュー画面を表示するように指示するコマンドに基づいて、図１１に示すように、自機のディスプレイ２５に、例えば、図１０に示すメニュー画面を表示した後、ステップＳ３３へ進む。
ステップＳ３３では、表示装置１１の制御部１７は、表示装置１４の制御部１７がステップＳ１９の処理で生成したコマンドで「同時調整」が選択されているか又は自機について「個別調整」が選択されているか否かを判断する。ステップＳ２８の判断結果が「ＮＯ」の場合、即ち、表示装置１４の制御部１７がステップＳ１９の処理で生成したコマンドで「同時調整」が選択されておらず、かつ、自機について「個別調整」が選択されていない場合には、表示装置１１の制御部１７は、何もせず、ステップＳ２６へ戻る。
【００４６】
一方、ステップＳ３３の判断結果が「ＹＥＳ」の場合、即ち、表示装置１４の制御部１７がステップＳ１９の処理で生成したコマンドで「同時調整」が選択されているか又は自機について「個別調整」が選択されている場合には、表示装置１１の制御部１７は、ステップＳ３４へ進む。ステップＳ３４では、表示装置１１の制御部１７は、上記したステップＳ２２及びＳ２３の処理と同様、表示装置１４の制御部１７がステップＳ１９の処理で生成したコマンドに対応した調整項目の調整を行った後、ステップＳ２６へ戻る。
【００４７】
本発明の上述の実施の形態１によれば、図３に示すように、４台の表示装置１１〜１４を３本のケーブル２〜４によりデイジー・チェーン接続している。また、図１１に示すように、表示装置１１のディスプレイ２５１のみにメニュー画面を表示とし、他の表示装置１２〜１４のディスプレイ２５にはメニュー画面を表示していない。従って、従来のように、調整対象としていない他の表示装置のディスプレイに表示された画像が調整項目の調整に使用されないメニュー画面で覆われて見にくくなるということがない。
【００４８】
また、本発明の上述の実施の形態１によれば、図１１に示すように、メニュー画面の縦横の長さは、ディスプレイ２５１の左角から縦横ともに全体の長さの約３分の２の長さを有している。従って、操作者は、通常の視力を有していれば、マルチ画面全体を視野に入れられる位置（各ディスプレイ２５１〜２５４に正対して約３ｍ程度）からであっても、メニュー画面を構成する各調整項目の内容を十分に視認することができる。
従って、各表示装置間における表示品質（例えば、輝度やコントラストなど）のばらつきを解消する場合であっても、操作者は、マルチ画面全体を視野に入れられる位置にいたままで、各調整項目の設定値を細かく調整することができる。この結果、操作性が向上する。
【００４９】
また、本発明の上述の実施の形態１によれば、表示装置１４のリモコン受信部１８のみを有効とし、他の表示装置１１〜１３のリモコン受信部１８を無効としている。従って、マルチ画面を構成するすべての表示装置を１台のリモコンで操作可能な場合であっても、すべての表示装置の電源をオンしたままで、１台のリモコン２６で所望の１台の表示装置１についてだけ、各調整項目を調整することができる。このため、リモコンを用いて上記調整項目を調整する操作性の良さが失われることはない。
この場合、他の表示装置１１〜１３のリモコン受信部１８を無効としているので、各リモコン受信部１８がリモコン２６からの赤外線パルスの制御信号ＬＲを受信しても、対応する表示装置１１〜１３が誤動作することはない。また、マルチ画面を構成する表示装置１の台数が多くても、コマンドがケーブルを介して後段の他の表示装置１に送信される。従って、短時間で同一の調整項目を同時に調整することができるとともに、リモコンを用いて上記調整項目を調整する操作性の良さが失われることはない。
【００５０】
実施の形態２．
上述した実施の形態１では、メニュー画面の表示サイズは、予め設定されている例を示したが、これに限定されず、操作者がリモコン２６又は本体操作部２０を操作して任意に設定できるように構成しても良い。例えば、図１０に示すメニュー画面において、「メニュー［映像調整］」の文字の右隣に、「メニュー画面表示サイズ変更」という文字を表示し、フォーカスが「メニュー画面表示サイズ変更」にある状態で、操作者がリモコン２６又は本体操作部２０の右カーソルボタンを押下するごとにメニュー画面の表示サイズが最大でディスプレイ２５の表示画面全面に拡大される一方、左カーソルボタンを押下するごとにメニュー画面の表示サイズが縮小されるように構成しても良い。
【００５１】
実施の形態３．
また、上述した各実施の形態では、メニュー画面の表示・非表示は、予め設定され、固定されている例を示したが、これに限定されない。例えば、調整対象の表示装置１が変更されるごとに、メニュー画面を調整対象の表示装置１に隣接する表示装置１に表示するように構成しても良いし、操作者が任意に設定できるように構成しても良い。
【００５２】
実施の形態４．
上述した各実施の形態では、本発明をテレビジョン受信機からなる表示装置に適用する例を示したが、本発明はこれに限定するものではない。例えば、本発明は、テレビ受信機能を備えたパーソナルコンピュータからなる表示装置にも適用することができる。
実施の形態５．
上述した各実施の形態では、各表示装置１を制御入力端子２２、制御出力端子２３及びケーブル２〜４で有線接続する例を示したが、これに限定されず、無線接続しても良い。
【００５３】
以上、この実施の形態を図面を参照して詳述してきたが、具体的な構成は、この実施の形態に限定されるものではなく、本発明の要旨を逸脱しない範囲で種々の変形実施ができることは勿論である。
例えば、上述した各実施の形態では、表示装置１は、チューナ１２を有するテレビジョン受像機である例を示したが、これに限定されず、チューナを有しないモニタであっても良い。また、上記した各実施の形態では、リモコン２６は、赤外線パルスの制御信号ＬＲを送信し、リモコン受信部１８がリモコン２６からの赤外線パルスの制御信号ＬＲを受信して電気信号の制御信号ＲＣに変換する例を示したが、これに限定されず、リモコン２６は、赤外線パルス以外の光パルス、電気パルスの制御信号を送信し、リモコン受信部１８がリモコン２６からの光パルス又は電気パルスの制御信号を受信して適宜所定の電気信号に変換して制御部１７に供給するようにしても良い。また、上述した各実施の形態では、メニュー画面をＯＳＤ表示形式で表示する例を示したが、これに限定されず、メニュー画面の表示形式はどのようなものでも良い。
【図面の簡単な説明】
【００５４】
【図１】本発明の実施の形態１に係る表示装置の構成を示すブロック図である。
【図２】（ａ）及び（ｂ）は、ソース画面を４分割してマルチ画面を作成する概念を説明するための図であり、（ｃ）及び（ｄ）は、ソース画面を９分割してマルチ画面を作成する概念を説明するための図である。
【図３】図１に示す表示装置を４台接続して構成される映像表示システムの構成を示す概略図である。
【図４】図１に示す表示装置の調整処理を説明するためのフローチャートである。
【図５】図１に示す表示装置の調整処理を説明するためのフローチャートである。
【図６】図１に示す表示装置の調整処理を説明するためのフローチャートである。
【図７】図１に示す表示装置の調整処理を説明するためのフローチャートである。
【図８】ディスプレイに表示されるマルチ画面の画面構成選択画面の一例を示す図である。
【図９】ディスプレイに表示されるマルチ画面の画面構成選択画面の一例を示す図である。
【図１０】メニュー画面の表示例を示す図である。
【図１１】図３に示す映像表示システムを構成する表示装置のディスプレイにメニュー画面が表示される例を示す概略図である。
【符号の説明】
【００５５】
１，１１〜１９  表示装置
２〜４  ケーブル
１１  アンテナ
１２  チューナ
１３  ビデオ信号入力部
１４  ビデオスイッチ
１５  フレームメモリ
１６  映像処理回路
１７  制御部（拡大表示制御手段、メニュー画面表示規制手段）
１８，１８１〜１８４  リモコン受信部
１９  記憶部
２０  本体操作部（選択手段、メニュー画面表示操作手段）
２１  インターフェイス（入力手段）
２２，２２１〜２２４  制御入力端子（入力手段）
２３，２３１〜２３４  制御出力端子（入力手段）
２４  キャラクタジェネレータ
２５，２５１〜２５９  ディスプレイ（表示手段）
２６  リモコン（選択手段、メニュー画面表示操作手段）
【図１】
2006352511.tif 000003
【図２】
2006352511.tif 000004
【図３】
2006352511.tif 000005
【図４】
2006352511.tif 000006
【図５】
2006352511.tif 000007
【図６】
2006352511.tif 000008
【図７】
2006352511.tif 000009
【図８】
2006352511.tif 000010
【図９】
2006352511.tif 000011
【図１０】
2006352511.tif 000012
【図１１】
2006352511.tif 000013